(57)【要約】  監視記録作成支援システムは、被監視者に食事として提供される複数の物（食べ物）がそれぞれ、複数の領域（複数の食器）に配置された状態で、食事前に撮影された複数の領域の第１画像を基にして、複数の領域のそれぞれの位置を検出し、食事後に撮影された複数の領域の第２画像を基にして、複数の領域のそれぞれの位置を検出する位置検出部と、食事前の複数の領域のそれぞれの位置を基にして、食事前の複数の物のそれぞれの量を特定できる第１量データを算出し、食事後の複数の領域のそれぞれの位置を基にして、食事後の複数の物のそれぞれの量を示す第２量データを算出し、これらの量データを基にして、複数の物のそれぞれの摂取量を測定する摂取量測定部と、を備える。
2020012888.tif 000002
【特許請求の範囲】
【請求項１】
カメラ機能を有し、監視者が携行可能な端末装置と、前記端末装置と通信可能なサーバ装置と、を備え、被監視者に食事として提供される複数の物の摂取量について、記録を支援する監視記録作成支援システムであって、
複数の前記物がそれぞれ、複数の領域に配置された状態で、前記端末装置によって、食事前に撮影された複数の前記領域の第１画像を基にして、複数の前記領域のそれぞれの位置を検出し、前記端末装置によって、食事後に撮影された複数の前記領域の第２画像を基にして、複数の前記領域のそれぞれの位置を検出する位置検出部と、
前記位置検出部によって検出された、食事前の複数の前記領域のそれぞれの位置を基にして、食事前の複数の前記物のそれぞれの量を特定できる第１量データを算出し、前記位置検出部によって検出された、食事後の複数の前記領域のそれぞれの位置を基にして、食事後の複数の前記物のそれぞれの量を特定できる第２量データを算出し、前記第１量データと前記第２量データとを基にして、複数の前記物のそれぞれの摂取量を測定する摂取量測定部と、を備える、監視記録作成支援システム。
【請求項２】
前記摂取量測定部は、食事前の複数の前記領域のそれぞれの位置を基にして、前記第１画像に写された複数の前記物のそれぞれの面積を、前記第１量データとして算出し、食事後の複数の前記領域のそれぞれの位置を基にして、前記第２画像に写された複数の前記物のそれぞれの面積を、前記第２量データとして算出し、前者の面積と後者の面積とを基にして、複数の前記物のそれぞれの摂取量を算出する、請求項１に記載の監視記録作成支援システム。
【請求項３】
複数の前記物のそれぞれの重さを測定する複数の重量センサを備えるトレイに、複数の前記物が載せられた状態で、複数の前記物が前記被監視者に提供され、
前記摂取量測定部は、複数の前記重量センサのうち、食事前の複数の前記領域のそれぞれの位置にある前記重量センサを用いて、前記第１量データを算出し、複数の前記重量センサのうち、食事後の複数の前記領域のそれぞれの位置にある前記重量センサを用いて、前記第２量データを算出し、前記第１量データが示す重さと前記第２量データが示す重さとを基にして、複数の前記物のそれぞれの摂取量を算出する、請求項１に記載の監視記録作成支援システム。
【請求項４】
前記監視記録作成支援システムは、さらに、
複数の前記物のそれぞれのカロリーを示すカロリー情報を記憶するカロリー情報記憶部と、
前記摂取量測定部によって測定された、複数の前記物のそれぞれの摂取量と、前記カロリー情報とを基にして、複数の前記物のそれぞれについて、摂取したカロリーを算出するカロリー算出部と、を備える、請求項１〜３のいずれか一項に記載の監視記録作成支援システム。
【請求項５】
前記サーバ装置は、前記位置検出部と前記摂取量測定部とを備える、請求項１〜３のいずれか一項、または、前記サーバ装置は、前記位置検出部と前記摂取量測定部と前記カロリー情報記憶部と前記カロリー算出部とを備える、請求項４に記載の監視記録作成支援システム。
【請求項６】
カメラ機能を有し、監視者が携行可能な端末装置と、前記端末装置と通信可能なサーバ装置と、を用いて、被監視者に食事として提供される複数の物の摂取量について、記録を支援する監視記録作成支援方法であって、
複数の前記物がそれぞれ、複数の領域に配置された状態で、前記端末装置によって、食事前に撮影された複数の前記領域の第１画像を基にして、複数の前記領域のそれぞれの位置を検出し、前記端末装置によって、食事後に撮影された複数の前記領域の第２画像を基にして、複数の前記領域のそれぞれの位置を検出する位置検出ステップと、
前記位置検出ステップによって検出された、食事前の複数の前記領域のそれぞれの位置を基にして、食事前の複数の前記物のそれぞれの量を特定できる第１量データを算出し、前記位置検出ステップによって検出された、食事後の複数の前記領域のそれぞれの位置を基にして、食事後の複数の前記物のそれぞれの量を特定できる第２量データを算出し、前記第１量データと前記第２量データとを基にして、複数の前記物のそれぞれの摂取量を測定する摂取量測定ステップと、を備える、監視記録作成支援方法。
【発明の詳細な説明】
【技術分野】
【０００１】
本発明は、被監視者の監視記録の作成を支援する技術に関する。
【背景技術】
【０００２】
監視記録の作成について、介護施設での介護記録の作成を例にして説明する。介護施設での介護業務には、被介護者からの呼び出しに対する対応に加えて、体温測定、血圧測定、各種介助（例えば、食事の介助、身支度の介助、水分補給の介助、服薬の介助、排せつ介助）等の様々な業務がある。介護者は、これらの業務をしたとき、介護記録を作成する。介護記録は、被介護者毎に毎日作成される。【０００３】
介護者の負担を軽減するために、介護記録のような監視記録の作成を支援する技術が望まれる。このような技術の一つとして、介護者が、被介護者の介護記録を携帯端末装置に入力し、携帯端末装置が、介護記録を管理するサーバに、入力された介護記録を送信する介護記録作成支援技術がある。【０００４】
例えば、特許文献１は、被監視者が在宅の被介護者であり、監視者がヘルパーである場合について、監視記録作成支援技術を開示する。【０００５】
介護記録には、飲食物の摂取量が含まれる。飲食物の摂取量は、例えば、主食の摂取量と、副食の摂取量と、水分の摂取量とに分けられる。介護者は、被介護者の食事毎に飲食物の摂取量を記録する。従来、飲食物の摂取量は目分量ではかられ、記録されていた。すなわち、介護者は、被介護者の食事後に残された飲食物から、主食の摂取量、副食の摂取量、水分（飲み物）の摂取量のそれぞれを、主観で目分量ではかり、記録している。例えば、介護者は、被介護者が主食を約５割食べ、副食を約８割食べ、飲み物を約２００ミリリットル飲んだと判断したとき、主食の摂取量の欄に「５割」、副食の摂取量の欄に「８割」、水分の摂取量の欄に「２００ミリリットル」と記録する。【０００６】
介護士の目分量の下で飲食物の摂取量が記録されていたので、介護者毎に記録のばらつきが発生し、また、同じ介護者であっても、記録のばらつきが発生していた。記録のばらつきをなくすために、摂取量の正確な記録を介護者に要求することは、介護者にとって負担となる。【０００７】
被介護者の食事終了後、介護者は、下膳をしなければならず、忙しくなる。下膳の時刻が決まっており、この時刻までの時間に余裕がないことがある。この場合、介護者は、複数の被介護者のそれぞれについて、目分量ではかった摂取量を記憶しておき、下膳をする。介護者は下膳の終了後、記憶している摂取量を記録する。しかし、介護者の記憶の誤りにより、摂取量の誤記録が発生することがあった。
【先行技術文献】
【特許文献】
【０００８】
【特許文献１】特開２０１４−２１５６８７号公報
【発明の概要】
【０００９】
本発明の目的は、被監視者に提供される食事について、摂取量の記録を支援できる監視記録作成支援システムおよび監視記録作成支援方法を提供することである。
【００１０】
上述した目的を実現するために、本発明の一側面を反映した監視記録作成支援システムは、カメラ機能を有し、監視者が携行可能な端末装置と、前記端末装置と通信可能なサーバ装置と、を備え、被監視者に食事として提供される複数の物の摂取量について、記録を支援する監視記録作成支援システムであって、位置検出部と、摂取量測定部と、を備える。前記位置検出部は、複数の前記物がそれぞれ、複数の領域に配置された状態で、前記端末装置によって、食事前に撮影された複数の前記領域の第１画像を基にして、複数の前記領域のそれぞれの位置を検出し、前記端末装置によって、食事後に撮影された複数の前記領域の第２画像を基にして、複数の前記領域のそれぞれの位置を検出する。前記摂取量測定部は、前記位置検出部によって検出された、食事前の複数の前記領域のそれぞれの位置を基にして、食事前の複数の前記物のそれぞれの量を特定できる第１量データを算出し、前記位置検出部によって検出された、食事後の複数の前記領域のそれぞれの位置を基にして、食事後の複数の前記物のそれぞれの量を特定できる第２量データを算出し、前記第１量データと前記第２量データとを基にして、複数の前記物のそれぞれの摂取量を測定する。
【００１１】
発明の１又は複数の実施形態により与えられる利点及び特徴は以下に与えられる詳細な説明及び添付図面から十分に理解される。これら詳細な説明及び添付図面は、例としてのみ与えられるものであり本発明の限定の定義として意図されるものではない。
【図面の簡単な説明】
【００１２】
【図１】実施形態に係る被監視者監視支援システム（監視記録作成支援システム）の構成を説明する説明図である。
【図２】管理サーバ装置の構成を示すブロック図である。
【図３】ある日の監視記録テーブルの一例を説明する説明図である。
【図４】被監視者の食事前に撮影されたトレイの画像（第１画像）と、同じ被監視者の食事後に撮影されたトレイの画像（第２画像）とを示す模式図である。
【図５】携帯端末装置の構成を示すブロック図である。
【図６】携帯端末装置の外観の平面図である。
【図７】ある被監視者に割り当てられた入力画面の例を説明する画面図である。
【図８】実施形態に係る監視記録作成支援システムの動作を説明するフローチャートである。
【図９】重量センサが内蔵されたトレイの例を示す模式図である。
【図１０】図９に示すトレイに載せられた複数の食器の例を示す模式図である。
【図１１】図９に示すトレイの電気的構成を示すブロック図である。
【図１２】被監視者の食事前に撮影されたトレイの画像（第１画像）と、同じ被監視者の食事後に撮影されたトレイの画像（第２画像）とを示す模式図である。
【図１３】変形例に係る管理サーバ装置の構成を示すブロック図である。
【図１４】変形例に係る監視記録作成支援システムの動作を説明するフローチャートである。
【発明を実施するための形態】
【００１３】
以下、図面を参照して、本発明の１又は複数の実施形態が説明される。しかし、発明の範囲は、開示された実施形態に限定されない。
【００１４】
各図において、同一符号を付した構成は、同一の構成であることを示し、その構成について、既に説明している内容については、その説明を省略する。本明細書において、総称する場合にはハイフンを省略した参照符号で示し（例えば、食器５２）、個別の構成を指す場合にはハイフンを付した参照符号で示す（例えば、食器５２‐１）。
【００１５】
実施形態に係る被監視者監視支援システムは、監視すべき監視対象である被監視者（言い換えれば、見守るべき見守り対象である見守り対象者）を複数の装置を用いて監視するシステムであり、端末装置と、前記端末装置と通信可能に接続され、被監視者に関わる所定のイベント（事象）を検知して前記イベントを前記端末装置へ通知する被監視者監視支援装置と、を備える。前記被監視者監視支援装置は、１個の装置で一体に構成されて良いが、本明細書では、被監視者監視支援装置は、センサ装置と、前記センサ装置及び前記端末装置それぞれと通信可能に接続される管理サーバ装置とを備えることで、２種類の各装置で別体に構成される。前記センサ装置は、被監視者に関わる前記所定のイベントを検知して前記管理サーバ装置へ通知（報知、送信）する。前記管理サーバ装置は、前記センサ装置から前記通知を受けると、前記通知を受けた前記イベントを管理するとともに前記イベントを前記センサ装置に対応付けられた所定の端末装置へ再通知（再報知、再送信）する。前記端末装置は、１種類の装置であって良いが、本明細書では、前記端末装置は、固定端末装置と携帯端末装置との２種類の装置である。これら固定端末装置と携帯端末装置との主な相違は、固定端末装置が固定的に運用され、携帯端末装置が例えば看護師や介護士等の監視者（ユーザ）に携行されて運用される点である。これら固定端末装置と携帯端末装置とは、略同様であるので、以下では、携帯端末装置を主に説明する。
【００１６】
図１は、実施形態に係る被監視者監視支援システムＭＳの構成を説明する説明図である。被監視者監視支援システムＭＳは、より具体的には、例えば、１または複数のセンサ装置ＳＵ（ＳＵ‐１〜ＳＵ‐４）と、管理サーバ装置ＳＶと、固定端末装置ＳＰと、１または複数の携帯端末装置ＴＡ（ＴＡ‐１、ＴＡ‐２）と、構内交換機（ＰＢＸ、Ｐｒｉｖａｔｅ  Ｂｒａｎｃｈ  ｅＸｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷには、通信信号を中継する例えばリピーター、ブリッジ及びルーター等の中継機が備えられても良い。図１に示す例では、これら複数のセンサ装置ＳＵ‐１〜ＳＵ‐４、管理サーバ装置ＳＶ、固定端末装置ＳＰ、複数の携帯端末装置ＴＡ‐１、ＴＡ‐２及び構内交換機ＣＸは、Ｌ２スイッチの集線装置（ハブ、ＨＵＢ）ＬＳ及びアクセスポイントＡＰを含む有線及び無線の混在したＬＡＮ（例えばＩＥＥＥ８０２．１１規格に従ったＬＡＮ等）ＮＷによって互いに通信可能に接続されている。より詳しくは、複数のセンサ装置ＳＵ‐１〜ＳＵ‐４、管理サーバ装置ＳＶ、固定端末装置ＳＰ及び構内交換機ＣＸは、集線装置ＬＳに接続され、複数の携帯端末装置ＴＡ‐１、ＴＡ‐２は、アクセスポイントＡＰを介して集線装置ＬＳに接続されている。そして、ネットワークＮＷは、ＴＣＰ（Ｔｒａｎｓｉｍｉｓｓｉｏｎ  Ｃｏｎｔｒｏｌ  Ｐｒｏｔｏｃｏｌ）及びＩＰ（Ｉｎｔｅｒｎｅｔ  Ｐｒｏｔｏｃｏｌ）等のインターネットプロトコル群が用いられることによっていわゆるイントラネットを構成する。構内交換機ＣＸは、公衆電話網ＰＮによって電話ＴＬと接続されている。
【００１７】
被監視者監視支援システムＭＳは、被監視者Ｏｂに応じて適宜な場所に配設される。被監視者Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合なイベントがその者に生じた場合にその発見を必要としている者であることが好ましい。このため、被監視者監視支援システムＭＳは、被監視者Ｏｂの種類に応じて、病院、老人福祉施設及び住戸等の建物に好適に配設される。図１に示す例では、被監視者監視支援システムＭＳは、複数の被監視者Ｏｂが入居する複数の居室ＲＭや、ナースステーション等の複数の部屋を備える介護施設の建物に配設されている。
【００１８】
センサ装置ＳＵは、ネットワークＮＷを介して他の装置ＳＶ、ＳＰ、ＴＡと通信する通信機能等を備え、被監視者Ｏｂに関わる所定のイベントを検知してこの検知した前記イベントを管理サーバ装置ＳＶへ通知し、端末装置ＳＰ、ＴＡとの間で音声通話を行い、そして、動画を含む画像を生成して端末装置ＳＰ、ＴＡへ動画を配信する装置である。前記所定のイベントは、好ましくは、対処が必要なイベントを含む。
【００１９】
図１には、一例として、４個のセンサ装置ＳＵ‐１〜ＳＵ‐４が示されており、センサ装置ＳＵ‐１は、被監視者Ｏｂの一人であるＡさんＯｂ‐１の居室ＲＭ‐１に配設され、センサ装置ＳＵ‐２は、被監視者Ｏｂの一人であるＢさんＯｂ‐２の居室ＲＭ‐２に配設され、センサ装置ＳＵ‐３は、被監視者Ｏｂの一人であるＣさんＯｂ‐３の居室ＲＭ‐３に配設され、そして、センサ装置ＳＵ‐４は、被監視者Ｏｂの一人であるＤさんＯｂ‐４の居室ＲＭ‐４に配設されている。
【００２０】
管理サーバ装置ＳＶは、ネットワークＮＷを介して他の装置ＳＵ、ＳＰ、ＴＡと通信する通信機能等を備え、センサ装置ＳＵから、被監視者Ｏｂに関わる所定のイベントの通知を受信すると被監視者Ｏｂに対する監視に関する情報（監視情報）を管理する装置である。管理サーバ装置ＳＶは、センサ装置ＳＵから前記イベントの通知として第１イベント通知通信信号を受信すると、前記第１イベント通知通信信号に収容された各情報に基づいて、被監視者Ｏｂに対する監視に関する前記監視情報を記憶（記録）し、そして、被監視者Ｏｂに対する監視に関する前記監視情報を収容した通信信号（第２イベント通知通信信号）を、前記センサ装置ＳＵに予め対応付けられた所定の端末装置ＳＰ、ＴＡに送信する。このために、管理サーバ装置ＳＶは、センサ装置ＳＵから送信された第１イベント通知通信信号等の通知先（再通知先、再報知先、送信先）を示す、送信元であるセンサＩＤと通知先（再通知先）である端末ＩＤとの対応関係（通知先対応関係）、及び、その通信アドレスを記憶する。端末ＩＤ（端末装置識別子）は、端末装置ＳＰ、ＴＡを特定し識別するための識別子である。そして、管理サーバ装置ＳＶは、クライアント（本実施形態では固定端末装置ＳＰ及び携帯端末装置ＴＡ等）の要求に応じたデータを前記クライアントに提供する。このような管理サーバ装置ＳＶは、例えば、通信機能付きのコンピュータによって構成可能である。
【００２１】
固定端末装置ＳＰは、被監視者監視支援システムＭＳのユーザインターフェース（ＵＩ）として機能する装置である。この機能を達成するために、固定端末装置ＳＰは、ネットワークＮＷを介して他の装置ＳＵ、ＳＶ、ＴＡと通信する通信機能、所定の情報を表示する表示機能、及び、所定の指示及びデータを入力する入力機能等を備え、管理サーバ装置ＳＶ及び携帯端末装置ＴＡに与える所定の指示及びデータが入力されたり、センサ装置ＳＵで得られた監視情報を表示したりする。このような固定端末装置ＳＰは、例えば、通信機能付きのコンピュータによって構成可能である。
【００２２】
携帯端末装置ＴＡは、監視者ＮＳが携帯している。携帯端末装置ＴＡは、ネットワークＮＷを介して他の装置ＳＶ、ＳＰ、ＳＵと通信する通信機能、所定の情報を表示する表示機能、所定の指示やデータを入力する入力機能、及び、音声通話を行う通話機能等を備え、管理サーバ装置ＳＶ及びセンサ装置ＳＵに与える所定の指示及びデータを入力したり、管理サーバ装置ＳＶからの通知によってセンサ装置ＳＵで得られた監視情報（動画を含む）を表示したり、センサ装置ＳＵとの間で音声通話によってナースコールの応答や声かけしたり等をするための機器である。
【００２３】
図１に示す被監視者監視支援システムＭＳは、被監視者Ｏｂの監視を支援する機能に加えて、監視記録の作成を支援する機能を有する。後者の機能の観点から言えば、被監視者監視支援システムＭＳは、監視記録作成支援システムＲＳと言うことができる。
【００２４】
管理サーバ装置ＳＶ（管理装置）の構成について説明する。図２は、管理サーバ装置ＳＶの構成を示すブロック図である。管理サーバ装置ＳＶは、管理サーバ側制御処理部（ＳＶ制御処理部）３０と、管理サーバ側通信インターフェース部（ＳＶ通信ＩＦ部）３１と、監視記録管理部３２と、位置検出部３３と、摂取量測定部３４と、カロリー情報記憶部３５と、カロリー算出部３６と、を備える。
【００２５】
ＳＶ制御処理部３０は、管理サーバ装置ＳＶの各部（ＳＶ通信ＩＦ部３１、監視記録管理部３２、位置検出部３３、摂取量測定部３４、カロリー算出部３６）を、当該各部の機能に応じてそれぞれ制御するための装置である。
【００２６】
ＳＶ制御処理部３０は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、及び、ＨＤＤ（Ｈａｒｄ  Ｄｉｓｋ  Ｄｒｉｖｅ）等のハードウェアプロセッサ、並びに、ＳＶ制御処理部３０の機能を実行するためのプログラムおよびデータ等によって実現される。ＳＶ制御処理部３０の機能の一部又は全部は、ＣＰＵによる処理に替えて、又は、これと共に、ＤＳＰ（Ｄｉｇｉｔａｌ  Ｓｉｇｎａｌ  Ｐｒｏｃｅｓｓｏｒ）による処理によって実現されてもよい。又、ＳＶ制御処理部３０の機能の一部又は全部は、ソフトウェアによる処理に替えて、又は、これと共に、専用のハードウェア回路による処理によって実現されてもよい。以上説明したことは、監視記録管理部３２、位置検出部３３、摂取量測定部３４、カロリー算出部３６、図５を用いて後で説明するＴＡ制御処理部４０についても同様のことが言える。
【００２７】
ＳＶ通信ＩＦ部３１は、ＳＶ制御処理部３０に接続され、ＳＶ制御処理部３０の制御に従って通信を行うための通信回路である。ＳＶ通信ＩＦ部３１は、ＳＶ制御処理部３０から入力された転送すべきデータを収容した通信信号を、この被監視者監視支援システムＭＳのネットワークＮＷで用いられる通信プロトコルに従って生成し、この生成した通信信号を、ネットワークＮＷを介して他の装置ＳＵ、ＳＰ、ＴＡへ送信する。ＳＶ通信ＩＦ部３１は、ネットワークＮＷを介して他の装置ＳＵ、ＳＰ、ＴＡから通信信号を受信し、この受信した通信信号からデータを取り出し、この取り出したデータをＳＶ制御処理部３０が処理可能な形式のデータに変換してＳＶ制御処理部３０へ出力する。ＳＶ通信ＩＦ部３１は、例えば、ＩＥＥＥ８０２．１１規格等に従った通信インターフェース回路を備えて構成される。
【００２８】
監視記録管理部３２は、監視記録テーブル３２１を備える。監視記録テーブル３２１は、各被監視者Ｏｂに関する監視記録を示すテーブルである。図３は、ある日の監視記録テーブル３２１の一例を説明する説明図である。監視記録テーブル３２１は、欄３２１１〜３３１６を含む。
【００２９】
欄３２１１には、被監視者Ｏｂの氏名が予め記録されている。欄３２１２には、被監視者Ｏｂのバイタル情報が記録される。欄３２１３には、被監視者Ｏｂが朝食をしたときの情報が記録される。欄３２１４には、被監視者Ｏｂが昼食をしたときの情報が記録される。欄３２１５には、被監視者Ｏｂが夕食をしたときの情報が記録される。欄３２１６には、被監視者Ｏｂが一日に摂取した水分量が記録される。
【００３０】
図２を参照して、位置検出部３３は、被監視者Ｏｂに食事として提供する複数の物がそれぞれ入れられている複数の食器の位置を検出する。詳しく説明する。図４は、被監視者Ｏｂの食事前に撮影されたトレイ５０の画像Ｉｍ‐１（第１画像）と、同じ被監視者Ｏｂの食事後に撮影されたトレイ５０の画像Ｉｍ‐２（第２画像）とを示す模式図である。これらの画像は、携帯端末装置ＴＡによって撮影される。
【００３１】
トレイ５０には、３つの食器５２‐１〜５２‐３が載せされている。食器５２‐１には、主食である食べ物５４‐１が入れられ、食器５２‐２には、副食である食べ物５４‐２が入れられ、食器５２‐３には、副食である食べ物５４‐３が入れられている。食べ物５４‐１〜５４‐３は、被監視者Ｏｂに食事として提供される複数の物である。複数の物が３を例にして説明するが、これに限定されない。
【００３２】
食器５２‐１は、食べ物５４‐１が配置される領域として機能する。食器５２‐２は、食べ物５４‐２が配置される領域として機能する。食器５２‐３は、食べ物５４‐３が配置される領域として機能する。複数の食べ物５４が別々の食器５２に入れられているが、複数の仕切りを有する１枚の皿に入れられていてもよい。後者の場合、仕切りで規定される範囲が、食べ物５４が配置される領域として機能する。
【００３３】
位置検出部３３は、画像Ｉｍ‐１を基にして、３つの食器５２（複数の領域）のそれぞれの位置を検出し、画像Ｉｍ‐２を基にして、３つの食器５２（複数の領域）のそれぞれの位置を検出する。テンプレートマッチングを例にして、詳しく説明する。
【００３４】
位置検出部３３は、トレイ５０、食器５２‐１、食器５２‐２、食器５２‐３のそれぞれのテンプレート画像を予め記憶している。位置検出部３３は、トレイ５０のテンプレート画像と画像Ｉｍ１とを用いて、テンプレートマッチングを実行し、画像Ｉｍ１上のトレイ５０の位置を検出し、次に、トレイ５０のテンプレート画像と画像Ｉｍ‐２とを用いて、テンプレートマッチングを実行し、画像Ｉｍ‐２上のトレイ５０の位置を検出する。トレイ５０のテンプレート画像は、面積が異なる複数の種類があるので、トレイ５０と携帯端末装置ＴＡとの距離が常に同じでなくても、トレイ５０の検出が可能となる。
【００３５】
位置検出部３３は、面積を補正する機能を有しており、画像Ｉｍ‐１からトレイ５０の像を切り出し、画像Ｉｍ‐２からトレイ５０の像を切り出し、これらの像の面積を予め定められた同じ値に補正する。理由は、以下の通りである。後で説明するように、摂取量測定部３４は、画像Ｉｍ‐１，Ｉｍ‐２に写された食べ物５４‐１〜５４‐３のそれぞれの面積を基にして、食べ物５４‐１〜５４‐３のそれぞれの摂取量を測定する。画像Ｉｍ‐１に写されたトレイ５０の像の面積と画像Ｉｍ‐２に写されたトレイ５０の像の面積とが異なっていれば、正確な摂取量を測定できない。
【００３６】
画像Ｉｍ‐１から切り出され、面積が補正されたトレイ５０の像をトレイ画像５０ａと記載し、画像Ｉｍ‐２から切り出され、面積が補正されたトレイ５０の像をトレイ画像５０ｂと記載する。
【００３７】
位置検出部３３は、食器５２‐１のテンプレート画像とトレイ画像５０ａとを用いて、テンプレートマッチングを実行し、トレイ画像５０ａ（画像Ｉｍ‐１）上の食器５２‐１の位置を検出する。位置検出部３３は、同様にして、トレイ画像５０ａ（画像Ｉｍ‐１）上の食器５２‐２の位置、トレイ画像５０ａ（画像Ｉｍ‐１）上の食器５２‐３の位置を検出する。
【００３８】
位置検出部３３は、食器５２‐１のテンプレート画像とトレイ画像５０ｂとを用いて、テンプレートマッチングを実行し、トレイ画像５０ｂ（画像Ｉｍ‐２）上の食器５２‐１の位置を検出する。位置検出部３３は、同様にして、トレイ画像５０ｂ（画像Ｉｍ‐２）上の食器５２‐２の位置、トレイ画像５０ｂ（画像Ｉｍ‐２）上の食器５２‐３の位置を検出する。
【００３９】
以上説明したように、位置検出部３３は、複数の食べ物５４がそれぞれ、複数の食器５２（複数の領域）に配置された状態で、携帯端末装置ＴＡによって、被監視者Ｏｂの食事前に撮影された複数の食器５２の画像Ｉｍ‐１（第１画像）を基にして、複数の食器５２のそれぞれの位置を検出する。また、位置検出部３３は、携帯端末装置ＴＡによって、被監視者Ｏｂの食事後に撮影された複数の食器５２（複数の領域）の画像Ｉｍ‐２（第２画像）を基にして、複数の食器５２のそれぞれの位置を検出する。
【００４０】
図２および図４を参照して、摂取量測定部３４は、トレイ画像５０ａに写された食器５２‐１を基にして、食べ物５４‐１の面積Ｓ１‐１を算出する。詳しく説明する。位置検出によって、トレイ画像５０ａ上の食器５２‐１の位置が特定されている。摂取量測定部３４は、食器５２‐１の色を予め記憶している。摂取量測定部３４は、トレイ画像５０ａに写された食器５２‐１の面積を算出し、トレイ画像５０ａに写された食器５２‐１において、食器５２‐１の色と同じ色の部分の面積を算出する。摂取量測定部３４は、前者の面積から後者の面積を引き算する。この値が、食事前の食べ物５４‐１の面積Ｓ１‐１となる。摂取量測定部３４は、同様にして、食事前の食べ物５４‐２の面積Ｓ１‐２、食事前の食べ物５４‐３の面積Ｓ１‐３を算出する。
【００４１】
食事前の食べ物５４‐１の面積Ｓ１‐１と、食事前の食べ物５４‐２の面積Ｓ１‐２と、食事前の食べ物５４‐３の面積Ｓ１‐３とにより、第１量データが構成される。第１量データは、食事前の３つの食べ物５４（複数の物）のそれぞれの量を示す。このように、摂取量測定部３４は、位置検出部３３によって検出された、被監視者Ｏｂの食事前の複数の食器５２（複数の領域）のそれぞれの位置を基にして、被監視者Ｏｂの食事前の複数の食べ物５４のそれぞれの量を特定できる第１量データを算出する。
【００４２】
摂取量測定部３４は、トレイ画像５０ｂに写された食器５２‐１を基にして、食事後の食べ物５４‐１の面積Ｓ２‐１を算出する。詳しく説明する。位置検出によって、トレイ５０ｂ上の食器５２‐１の位置が特定されている。上述したように、摂取量測定部３４は、食器５２‐１の色を予め記憶している。摂取量測定部３４は、トレイ画像５０ａに写された食器５２‐１の面積（既に算出）を、トレイ画像５０ｂに写された食器５２‐１の面積と見なし、トレイ画像５０ｂに写された食器５２‐１において、食器５２‐１の色と同じ色の部分の面積を算出する。摂取量測定部３４は、前者の面積から後者の面積を引き算する。この値が、食事後の食べ物５４‐１の面積Ｓ２‐１となる。摂取量測定部３４は、同様にして、食事後の食べ物５４‐２の面積Ｓ２‐２、食事後の食べ物５４‐３の面積Ｓ２‐３を算出する。被監視者Ｏｂが食べ残さなかった食べ物５４の面積は、ゼロとなる。
【００４３】
食事後の食べ物５４‐１の面積Ｓ２‐１と、食事後の食べ物５４‐２の面積Ｓ２‐２と、食事後の食べ物５４‐３の面積Ｓ２‐３とにより、第２量データが構成される。第２量データは、食事後の３つの食べ物５４（複数の物）のそれぞれの量を示す。このように、摂取量測定部３４は、位置検出部３３によって検出された、被監視者Ｏｂの食事後の複数の食器５２（複数の領域）のそれぞれの位置を基にして、被監視者Ｏｂの食事後の複数の食べ物５４のそれぞれの量を特定できる第２量データを算出する。
【００４４】
摂取量測定部３４は、食事前の食べ物５４‐１の面積Ｓ１‐１から食事後の食べ物５４‐１の面積Ｓ２‐１を引き算し、これにより得られた値について、食事前の食べ物５４‐１の面積Ｓ１‐１に対する割合を算出する。これが食べ物５４‐１の摂取量となる。摂取量測定部３４は、同様にして、食べ物５４‐２の摂取量、食べ物５４‐３の摂取量を測定する。
【００４５】
図２および図３を参照して、監視記録管理部３２は、摂取量測定部３４によって測定された摂取量を、監視記録テーブル３２１に記録する。被監視者Ｏｂ‐１（Ｍｒ．Ａ・・・・）の朝食を例にして説明する。監視記録管理部３２は、測定された食べ物５４‐１（主食）の摂取量を、「Ｍｒ．Ａ・・・・」に対応する欄３２１３に含まれる主食の項目に記録する。監視記録管理部３２は、測定された食べ物５４‐２（副食）の摂取量と測定された食べ物５４‐３（副食）の摂取量とを足し算して得られた摂取量を、「Ｍｒ．Ａ・・・・」に対応する欄３２１３に含まれる副食の項目に記録する。
【００４６】
図２および図４を参照して、カロリー情報記憶部３５は、カロリー情報３５１を予め記憶している。カロリー情報３５１は、被監視者Ｏｂに提供される食べ物５４のカロリーを示す。カロリー情報３５１には、食べ物５４‐１〜５４‐３のそれぞれのカロリーが含まれる。カロリーの計算の基礎となる食べ物５４の量は、食器５２に入れられた食べ物５４の量である（領域に配置された食べ物５４の量）。例えば、食器５２‐１に入れられた食べ物５４‐１のカロリー、食器５２‐２に入れられた食べ物５４‐２のカロリー、食器５２‐３に入れられた食べ物５４‐３のカロリーが、カロリー情報３５１となる。
【００４７】
カロリー算出部３６は、摂取量測定部３４によって測定された、食べ物５４‐１〜５４‐３（複数の物）のそれぞれの摂取量と、カロリー情報３５１と、を基にして、食べ物５４‐１〜５４‐３（複数の物）のそれぞれについて、摂取カロリーを算出する。例えば、摂取量測定部３４が測定した食べ物５４‐１の摂取量が５割であり、食器５２‐１に入れられた食べ物５４‐１のカロリーが２４０キロカロリーのとき、摂取カロリーは、１２０キロカロリーとなる。
【００４８】
図２および図３を参照して、監視記録管理部３２は、カロリー算出部３６によって算出された摂取カロリーを監視記録テーブル３２１に記録する。被監視者Ｏｂ‐１（Ｍｒ．Ａ・・・・）の朝食を例にして説明する。監視記録管理部３２は、算出された食べ物５４‐１（主食）の摂取カロリーを、「Ｍｒ．Ａ・・・・」に対応する欄３２１３に含まれる主食の項目に記録する。監視記録管理部３２は、算出された食べ物５４‐２（副食）の摂取カロリーと算出された食べ物５４‐３（副食）の摂取カロリーとを足し算して得られた摂取カロリーを、「Ｍｒ．Ａ・・・・」に対応する欄３２１３に含まれる副食の項目に記録する。
【００４９】
携帯端末装置ＴＡの構成について説明する。図５は、携帯端末装置ＴＡの構成を示すブロック図である。図６は、携帯端末装置ＴＡの外観の平面図である。携帯端末装置ＴＡは、携帯端末側制御処理部（ＴＡ制御処理部）４０と、携帯端末側通信インターフェース部（ＴＡ通信ＩＦ部）４１と、携帯端末側入力部（ＴＡ入力部）４２と、携帯端末側出力部（ＴＡ出力部）４３と、撮影部４４と、を備える。
【００５０】
ＴＡ制御処理部４０は、携帯端末装置ＴＡの各部（ＴＡ通信ＩＦ部４１、ＴＡ入力部４２、ＴＡ出力部４３、撮影部４４）を当該各部の機能に応じてそれぞれ制御するための装置である。
【００５１】
ＴＡ通信ＩＦ部４１は、ＴＡ制御処理部４０に接続され、ＴＡ制御処理部４０の制御に従って通信を行うための通信回路である。ＴＡ通信ＩＦ部４１は、ＴＡ制御処理部４０から入力された転送すべきデータを収容した通信信号を、この被監視者監視支援システムＭＳのネットワークＮＷで用いられる通信プロトコルに従って生成し、この生成した通信信号を、ネットワークＮＷを介して他の装置ＳＵ、ＳＶ、ＳＰへ送信する。ＴＡ通信ＩＦ部４１は、ネットワークＮＷを介して他の装置ＳＵ、ＳＶ、ＳＰから通信信号を受信し、この受信した通信信号からデータを取り出し、この取り出したデータをＴＡ制御処理部４０が処理可能な形式のデータに変換してＴＡ制御処理部４０へ出力する。ＳＰ通信ＩＦ部２１は、例えば、ＩＥＥＥ８０２．１１規格等に従った通信インターフェース回路を備えて構成される。
【００５２】
ＴＡ入力部４２は、各種入力をする装置である。各種入力は、コマンド（命令）、データ等を携帯端末装置ＴＡの外部から入力することである。タッチパネルＴＰ、ハードキー等によって、ＴＡ入力部４２は実現される。
【００５３】
ＴＡ出力部４３は、各種出力をする装置である。各種出力は、例えば、各居室ＲＭ内を撮像した画像（動画、静止画）の出力、入力画面の出力である。実施形態では、タッチパネルＴＰによってＴＡ出力部４３が実現されている。これに限らず、タッチパネルＴＰの機能を有さない表示装置（液晶ディスプレイ、有機ＥＬディスプレイ等）によって、ＴＡ出力部４３を実現することもできる。
【００５４】
撮影部４４は、携帯端末装置ＴＡに内蔵されたカメラである。
【００５５】
タッチパネルＴＰには、入力画面が表示される。入力画面は、被監視者Ｏｂの監視記録（介護記録）を入力するための画面である。図７は、ある被監視者Ｏｂに割り当てられた入力画面１００の例を説明する画面図である。入力画面１００は、被監視者Ｏｂ‐１の朝食用であり、欄１０１，１０２、および、ソフトキー１０３〜１０６を備える。
【００５６】
欄１０１には、被監視者Ｏｂ‐１の氏名が表示される。欄１０２には、監視者ＮＳが被監視者Ｏｂ‐１について気づいたことがあれば、これがメモとして記録される。
【００５７】
ソフトキー１０３は、食事前のトレイ５０の写真を撮影するときに、押下されるキーである。監視者ＮＳは、被監視者Ｏｂ‐１が朝食を食べる前に、ソフトキー１０３を押下する。これにより、ＴＡ制御処理部４０は、撮影部４４を起動し、携帯端末装置ＴＡを静止画撮影モードにする。監視者ＮＳは、被監視者Ｏｂ‐１が朝食を食べる前に、携帯端末装置ＴＡを用いて、被監視者Ｏｂ‐１に提供される朝食が載せられたトレイ５０を撮影する。これにより、食事前のトレイ５０の画像Ｉｍ‐１（図４）が得られる。
【００５８】
ソフトキー１０４は、食事後のトレイ５０の写真を撮影するときに、押下されるキーである。監視者ＮＳは、被監視者Ｏｂ‐１の朝食が終了した後、ソフトキー１０４を押下する。これにより、ＴＡ制御処理部４０は、撮影部４４を起動し、携帯端末装置ＴＡを静止画撮影モードにする。監視者ＮＳは、被監視者Ｏｂ‐１が朝食を終了した後、携帯端末装置ＴＡを用いて、食事後のトレイ５０を撮影する。これにより、食事後のトレイ５０の画像Ｉｍ‐２（図４）が得られる。被監視者Ｏｂ‐１が完食していれば、朝食が残っていない状態のトレイ５０の画像Ｉｍ‐２となる。被監視者Ｏｂ‐１が完食せず、残していれば、その状態のトレイ５０の画像Ｉｍ‐２となる。
【００５９】
食事前のトレイ５０の画像Ｉｍ‐１および食事後のトレイ５０の画像Ｉｍ‐２は、被監視者Ｏｂ‐１の朝食の摂取量を測定する際に用いられる。ソフトキー１０３，１０４が入力画面１００に含められていることにより、監視者Ｏｂが、これらの画像の撮影を忘れることを防止できる。
【００６０】
ソフトキー１０５が押下されると、欄１０２にメモを入力することができる。
【００６１】
ソフトキー１０６が押下されると、ＴＡ制御処理部４０は、管理サーバ装置ＳＶを宛先として、食事前のトレイ５０の画像Ｉｍ‐１および食事後のトレイ５０の画像Ｉｍ‐２（欄１０２にメモが入力されている場合、そのメモ）を、ＴＡ通信ＩＦ部４１に送信させる。
【００６２】
実施形態に係る監視記録作成支援システムＲＳの動作について、被監視者Ｏｂ‐１の朝食の記録を例にして説明する。図８は、この動作を説明するフローチャートである。図１、図５および図８を参照して、監視者ＮＳは、被監視者Ｏｂ‐１が朝食を食べる前に、携帯端末装置ＴＡを用いて、被監視者Ｏｂ‐１に提供される朝食が載せられたトレイ５０（図４）を撮影する（ステップＳ１１）。これにより、食事前のトレイ５０の画像Ｉｍ‐１（第１画像）が得られる。
【００６３】
監視者ＮＳは、被監視者Ｏｂ‐１の朝食が終了した後、携帯端末装置ＴＡを用いて、トレイ５０（図４）を撮影する（ステップＳ１２）。これにより、食事後のトレイ５０の画像Ｉｍ‐２（第２画像）が得られる。欄１０２（図７）には、メモが入力されていないとする。
【００６４】
監視者ＮＳがキー１０６（図７）を押下したとき、ＴＡ制御処理部４０は、管理サーバ装置ＳＶを宛先として、ＴＡ通信ＩＦ部４１に対して、ステップＳ１１で撮影された食事前のトレイ５０の画像Ｉｍ‐１（第１画像）およびステップＳ１２で撮影された食事後のトレイ５０の画像Ｉｍ‐２（第２画像）を送信する命令をする。ＴＡ通信ＩＦ部４１は、この命令に従って、管理サーバ装置ＳＶに、食事前のトレイ５０の画像Ｉｍ‐１および食事後のトレイ５０の画像Ｉｍ‐２を送信する（ステップＳ１３）。
【００６５】
図１、図２および図８を参照して、ＳＶ制御処理部３０は、ＳＶ通信ＩＦ部３１が、携帯端末装置ＴＡから送信されてきた、食事前のトレイ５０の画像Ｉｍ‐１および食事後のトレイ５０の画像Ｉｍ‐２を受信したか否かを判断する（ステップＳ２１）。ＳＶ制御処理部３０は、ＳＶ通信ＩＦ部３１が、これらの画像を受信していないと判断したとき（ステップＳ２１でＮｏ）、ステップＳ２１の処理を繰り返す。
【００６６】
ＳＶ制御処理部３０は、ＳＶ通信ＩＦ部３１が、食事前のトレイ５０の画像Ｉｍ‐１および食事後のトレイ５０の画像Ｉｍ‐２を受信したと判断したとき（ステップＳ２１でＹｅｓ）、摂取量測定部３４は、これらの画像を基にして、被監視者Ｏｂ‐１に朝食として提供された食べ物５４‐１〜５４‐３（図４）のそれぞれの摂取量を測定する（ステップＳ２２）。
【００６７】
カロリー算出部３６は、ステップＳ２２で測定された摂取量、および、カロリー情報３５１を用いて、被監視者Ｏｂ‐１に朝食として提供された食べ物５４‐１〜５４‐３のそれぞれの摂取カロリーを算出する（ステップＳ２３）。
【００６８】
監視記録管理部３２は、ステップＳ２２で測定された摂取量、および、ステップＳ２３で算出された摂取カロリーを監視記録テーブル３２１に記録する（ステップＳ２４）。
【００６９】
実施形態の主な効果を説明する。図４を参照して、実施形態によれば、監視者ＮＳは、携帯端末装置ＴＡを用いて、被監視者Ｏｂの食事前に、複数の食器５２（複数の領域）が載せられたトレイ５０の画像Ｉｍ‐１（第１画像）を撮影し、被監視者Ｏｂの食事後に、複数の食器５２（複数の領域）が載せられた画像Ｉｍ‐２（第２画像）を撮影する。管理サーバ装置ＳＶは、画像Ｉｍ‐１と画像Ｉｍ‐２とを用いて、被監視者Ｏｂに食事として提供された複数の食べ物５４のそれぞれの摂取量を、自動的に算出する。従って、食事の摂取量の記録を支援することができる。
【００７０】
実施形態の変形例について説明する。実施形態と変形例とで相違する内容について説明し、共通する内容については説明を省略する。図４を参照して、実施形態では、食事前後の食べ物５４の面積を基にして、食べ物５４の摂取量を測定するので、汁物（例えば、みそ汁）、飲み物（例えば、お茶）について、摂取量を測定することが困難である。このため、汁物、飲み物については、監視者ＮＳが目分量で摂取量をはかる必要がある。変形例は、重量センサ６１が内蔵されたトレイ６０を用いることにより、汁物、飲み物についても、摂取量を自動的に測定することができる。
【００７１】
図９は、重量センサ６１が内蔵されたトレイ６０の例を示す模式図である。複数の重量センサ６１が行列状にトレイ６０に内蔵されている。これにより、トレイ６０に載せられた複数の食器のそれぞれについて、食器に入れられた物の重量を測定することが可能となる。図１０は、トレイ６０に載せられた複数の食器６２の例を示す模式図である。食器６２‐１には、主食６３（例えば、ご飯）が入れられ、食器６２‐２には、主菜６４が入れられ、食器６２‐３には、副菜６５が入れられ、食器６２‐４には、汁物６６（例えば、みそ汁）が入れられ、食器６２‐５には、飲み物６７（例えば、お茶）が入れられる。
【００７２】
これらの食器６２に入れられた物（主食、主菜、副菜、汁物、飲み物）の重量は、各食器６２の下に位置する重量センサ６１を用いて測定される。例えば、食器６２‐１に入れられた主食の重量は、重量センサ６１‐１によって測定され、食器６２‐２に入れられた主菜の重量は、重量センサ６１‐２〜６１‐５によって測定される。
【００７３】
図１１は、トレイ６０の電気的構成を示すブロック図である。トレイ６０は、複数の重量センサ６１と、トレイ側制御処理部７０（ＴＲ制御処理部）と、トレイ側通信インターフェース部７１（ＴＲ通信ＩＦ部）と、スイッチ部７２と、電源７３と、を備える。
【００７４】
複数の重量センサ６１は、上述したように、トレイ６０に行列状に配置されている。各重量センサ６１は、例えば、感圧センサである。感圧センサは、接触の圧力によって抵抗値が変化するセンサである。
【００７５】
ＴＲ制御処理部７０は、トレイ６０の各部（ＴＲ通信ＩＦ部７１、複数の重量センサ６１）を当該各部の機能に応じてそれぞれ制御するための装置である。ＴＲ制御処理部７０は、ハードウェア（ＣＰＵ、ＲＡＭ、ＲＯＭ等）、及び、ソフトウェア等によって実現される。
【００７６】
ＴＲ通信ＩＦ部７１は、ＴＲ制御処理部７０の制御に従って、携帯端末装置ＴＡのＴＡ通信ＩＦ部４１と無線通信を行うための通信回路である。無線通信の方式として、例えば、Ｂｌｕｅｔｏｏｔｈ（登録商標）、無線ＬＡＮがある。
【００７７】
電源７３は、複数の重量センサ６１、ＴＲ制御処理部７０、ＴＲ通信ＩＦ部７１に電力を供給する。電源７３は、一次電池でもよいし、二次電池でもよい。
【００７８】
スイッチ部７２は、重量センサ６１によって重量を測定するときに操作される。スイッチ部７２が操作されると、ＴＲ制御処理部７０は、食事前の重量情報ＷＩ‐１、および、食事後の重量情報ＷＩ‐２を生成する。詳しく説明する。
【００７９】
食事前の重量情報ＷＩ‐１は、被監視者Ｏｂが食事を始める前に、被監視者Ｏｂに提供される食事が載せられたトレイ６０に内蔵された複数の重量センサ６１がそれぞれ測定した重さを、複数の重量センサ６１のそれぞれのＩＤと対応付た情報である。重量センサ６１‐１（図１０）で説明すると、重量センサ６１‐１のＩＤと、食事前に重量センサ６１‐１が測定した重さとが対応付られている。食事前の重量情報ＷＩ‐１は、食事前の各食器６２に入れられた物（主食、主菜、副菜、汁物、飲み物）の重さを特定するために用いられる。
【００８０】
食事後の重量情報ＷＩ‐２は、被監視者Ｏｂが食事を終えた後に、被監視者Ｏｂに提供された食事が載せられたトレイ６０に内蔵された複数の重量センサ６１がそれぞれ測定した重さを、複数の重量センサ６１のそれぞれのＩＤと対応付た情報である。重量センサ６１‐１で説明すると、重量センサ６１‐１のＩＤと、食事後に重量センサ６１‐１が測定した重さとが対応付られている。食事後の重量情報ＷＩ‐２は、食事後の各食器６２に入れられた物（主食、主菜、副菜、汁物、飲み物）の重さを特定するために用いられる。
【００８１】
食事前の重量情報ＷＩ‐１および食事後の重量情報ＷＩ‐２は、携帯端末装置ＴＡに送られる。詳しく説明する。図５および図１１を参照して、監視者ＮＳは、被監視者Ｏｂが食事を開始する前に、スイッチ部７２を操作する。これにより、ＴＲ制御処理部７０は、食事前の重量情報ＷＩ‐１を生成する。
【００８２】
監視者ＮＳは、携帯端末装置ＴＡのＴＡ通信ＩＦ部４１とトレイ６０のＴＲ通信ＩＦ部７１とのコネクションが確立していることを確認し、携帯端末装置ＴＡを操作し、食事前の重量情報ＷＩ‐１を要求する命令を入力する。これにより、ＴＲ制御処理部７０は、ＴＲ通信ＩＦ部７１に、食事前の重量情報ＷＩ‐１を送信する命令をする。ＴＲ通信ＩＦ部７１は、この命令に従って、食事前の重量情報ＷＩ‐１を送信する。ＴＡ制御処理部４０は、ＴＡ通信ＩＦ部４１が受信した食事前の重量情報ＷＩ‐１を記憶する。
【００８３】
監視者ＮＳは、被監視者Ｏｂが食事を終えた後に、スイッチ部７２を操作する。これにより、ＴＲ制御処理部７０は、食事後の重量情報ＷＩ‐２を生成する。食事前の重量情報ＷＩ‐１と同様にして、食事後の重量情報ＷＩ‐２がＴＡ制御処理部４０によって記憶される。
【００８４】
ＴＡ制御処理部４０は、食事前の重量情報ＷＩ‐１と第１画像とを紐づけて記憶し、食事後の重量情報ＷＩ‐２と第２画像とを紐づけて記憶する。図１２は、被監視者Ｏｂの食事前に撮影されたトレイ６０の画像Ｉｍ‐３（第１画像）と、同じ被監視者Ｏｂの食事後に撮影されたトレイ６０の画像Ｉｍ‐４（第２画像）とを示す模式図である。これらの画像は、携帯端末装置ＴＡによって撮影される。食器６２および食器６２に入れられる物は、図１０とそれらと同じである。以下、画像Ｉｍ‐３が第１画像とし、画像Ｉｍ‐４が第２画像として説明する。
【００８５】
ＴＡ制御処理部４０は、管理サーバ装置ＳＶを宛先とし、ＴＡ通信ＩＦ部４１に対して、食事前の重量情報ＷＩ‐１、食事後の重量情報ＷＩ‐２、画像Ｉｍ‐３および画像Ｉｍ‐４を送信する命令をする。食事前の重量情報ＷＩ‐１と画像Ｉｍ‐３とは紐づけられており、食事後の重量情報ＷＩ‐２と画像Ｉｍ‐４とは紐づけられている。ＴＡ通信ＩＦ部４１は、この命令に従って、これらを送信する。
【００８６】
図１３は、変形例に係る管理サーバ装置ＳＶの構成を示すブロック図である。この管理サーバ装置ＳＶについて、図２に示す管理サーバ装置ＳＶとの相違点を主に説明する。
【００８７】
図１２および図１３を参照して、管理サーバ装置ＳＶへ送信されてきた、食事前の重量情報ＷＩ‐１、食事後の重量情報ＷＩ‐２、画像Ｉｍ‐３および画像Ｉｍ‐４は、ＳＶ通信ＩＦ部３１によって受信され、ＳＶ制御処理部３０は、これらを記憶する。
【００８８】
摂取量測定部３４は、複数の重量センサ６１のそれぞれの位置を示すセンサ位置情報３４１を予め記憶している。センサ位置情報３４１は、トレイ画像６０ａ，６０ｂと同じ面積を有するトレイ画像上での各重量センサ６１の位置を示す情報である。
【００８９】
変形例に係る監視記録作成支援システムＲＳの動作について、被監視者Ｏｂ‐１の朝食の記録を例にして説明する。図１４は、この動作を説明するフローチャートである。図１、図１２および図１４を参照して、監視者ＮＳは、被監視者Ｏｂ‐１が朝食を食べる前に、携帯端末装置ＴＡを用いて、被監視者Ｏｂ‐１に提供される朝食が載せられたトレイ６０を撮影する（ステップＳ３１）。これにより、食事前のトレイ６０の画像Ｉｍ‐３（第１画像）が得られる。監視者ＮＳは、携帯端末装置ＴＡを操作して、食事前の重量情報ＷＩ‐１をトレイ６０から取得する（ステップＳ３２）。ステップＳ３１とステップＳ３２とは、順番が逆でもよい。
【００９０】
監視者ＮＳは、被監視者Ｏｂ‐１の朝食が終了した後、携帯端末装置ＴＡを用いて、トレイ６０を撮影する（ステップＳ３３）。これにより、食事後のトレイ６０の画像Ｉｍ‐４（第２画像）が得られる。欄１０２（図７）には、メモが入力されていないとする。監視者ＮＳは、携帯端末装置ＴＡを操作して、食事後の重量情報ＷＩ‐２をトレイ６０から取得する（ステップＳ３４）。ステップＳ３３とステップＳ３４とは、順番が逆でもよい。
【００９１】
監視者ＮＳがキー１０６（図７）を押下したとき、ＴＡ制御処理部４０は、管理サーバ装置ＳＶを宛先として、ＴＡ通信ＩＦ部４１に対して、食事前のトレイ６０の画像Ｉｍ‐３（ステップＳ３１）、食事後のトレイ６０の画像Ｉｍ‐４（ステップＳ３３）、食事前の重量情報ＷＩ‐１（ステップＳ３２）および食事後の重量情報ＷＩ‐２（ステップＳ３４）を送信する命令をする。ＴＡ通信ＩＦ部４１は、この命令に従って、管理サーバ装置ＳＶに、これらを送信する（ステップＳ３５）。
【００９２】
図１２、図１３および図１４を参照して、ＳＶ制御処理部３０は、ＳＶ通信ＩＦ部３１が、携帯端末装置ＴＡから送信されてきた、食事前のトレイ６０の画像Ｉｍ‐３、食事後のトレイ６０の画像Ｉｍ‐４、食事前の重量情報ＷＩ‐１および食事後の重量情報ＷＩ‐２を受信したか否かを判断する（ステップＳ４１）。ＳＶ制御処理部３０は、ＳＶ通信ＩＦ部３１が、これらを受信していないと判断したとき（ステップＳ４１でＮｏ）、ステップＳ４１の処理を繰り返す。
【００９３】
ＳＶ制御処理部３０は、ＳＶ通信ＩＦ部３１が、食事前のトレイ６０の画像Ｉｍ‐３、食事後のトレイ６０の画像Ｉｍ‐４、食事前の重量情報ＷＩ‐１および食事後の重量情報ＷＩ‐２を受信したと判断したとき（ステップＳ４１でＹｅｓ）、摂取量測定部３４は、これらを基にして、被監視者Ｏｂ‐１に朝食として提供された物（主食６３、主菜６４、副菜６５、汁物６６、飲み物６７）のそれぞれの摂取量を測定する（ステップＳ４２）。詳しく説明する。
【００９４】
実施形態と同様に、位置検出部３３は、画像Ｉｍ‐３からトレイ６０の像を切り出し、画像Ｉｍ‐４からトレイ６０の像を切り出し、これらの像の面積を予め定められた同じ値に補正する。画像Ｉｍ‐３から切り出され、面積が補正されたトレイ６０の像をトレイ画像６０ａと記載し、画像Ｉｍ‐４から切り出され、面積が補正されたトレイ６０の像をトレイ画像６０ｂと記載する。
【００９５】
位置検出部３３は、食器６２‐１のテンプレート画像とトレイ画像６０ａとを用いて、テンプレートマッチングを実行し、トレイ画像６０ａ（画像Ｉｍ‐３）上の食器６２‐１の位置を検出する。位置検出部３３は、同様にして、トレイ画像６０ａ（画像Ｉｍ‐３）上の食器６２‐２〜６２‐５の位置を検出する。
【００９６】
位置検出部３３は、食器６２‐１のテンプレート画像とトレイ画像６０ｂとを用いて、テンプレートマッチングを実行し、トレイ画像６０ｂ（画像Ｉｍ‐４）上の食器６２‐１の位置を検出する。位置検出部３３は、同様にして、トレイ画像６０ｂ（画像Ｉｍ‐４）上の食器６２‐２〜６２‐５の位置を検出する。
【００９７】
摂取量測定部３４は、トレイ画像６０ａに写された食器６２‐１を基にして、食事前の主食６３の重さＷ１‐１を算出する。詳しく説明する。位置検出部３３によって、トレイ画像６０ａに写された食器６２‐１が検出されている。摂取量測定部３４は、トレイ画像６０ａに写された食器６２‐１の位置にある重量センサ６１を、センサ位置情報３４１を用いて特定する。摂取量測定部３４は、特定した重量センサ６１が測定した重さを、食事前の重量情報ＷＩ‐１を用いて特定する。これを、食事前の主食６３の重さＷ１‐１とする。重さＷ１‐１は、食器６２‐１の重さを含む。重さＷ１‐１から食器６２‐１の重さを引き算した値が、食事前の主食６３の重さである。従って、重さＷ１‐１は、食事前の主食６３の重さを特定できる。摂取量測定部３４は、同様にして、食事前の主菜６４の重さＷ１‐２、食事前の副菜６５の重さＷ１‐３、食事前の汁物６６の重さＷ１‐４、食事前の飲み物６７の重さＷ１‐５を測定する。重さＷ１‐１〜Ｗ１‐５により、第１量データが構成される。
【００９８】
摂取量測定部３４は、トレイ画像６０ｂに写された食器６２‐１を基にして、食事後の主食６３の重さＷ２‐１を算出する。詳しく説明する。摂取量測定部３４は、位置検出部３３が検出した食器６２‐１の位置にある重量センサ６１が測定した重さを、食事後の主食６３の重さＷ２‐１とする。重さＷ２‐１は、食器６２‐１の重さを含む。重さＷ２‐１から食器６２‐１の重さを引き算した値が、食事後の主食６３の重さである。従って、重さＷ２‐１は、食事後の主食６３の重さを特定できる。摂取量測定部３４は、同様にして、食事後の主菜６４の重さＷ２‐２、食事後の副菜６５の重さＷ２‐３、食事後の汁物６６の重さＷ２‐４、食事後の飲み物６７の重さＷ２‐５を測定する。重さＷ２‐１〜Ｗ２‐５により、第２量データが構成される。
【００９９】
摂取量測定部３４は、食事前の主食６３の重さＷ１‐１から食事後の主食６３の重さＷ２‐１を引き算する。これにより得られた値が、主食６３の摂取量となる。摂取量測定部３４は、同様にして、主菜６４の摂取量、副菜６５の摂取量、汁物６６の摂取量、飲み物６７の摂取量を測定する。
【０１００】
カロリー算出部３６は、ステップＳ４２で測定された摂取量、および、カロリー情報３５１を用いて、被監視者Ｏｂ‐１に朝食として提供された物（主食６３、主菜６４、副菜６５、汁物６６）のそれぞれの摂取カロリーを算出する（ステップＳ４３）。変形例でのカロリー情報３５１は、所定のグラム（例えば、１００グラム）あたりのカロリーである。
【０１０１】
監視記録管理部３２は、ステップＳ４２で測定された摂取量、および、ステップＳ４３で算出された摂取カロリーを、図３に示す監視記録テーブル３２１に記録する（ステップＳ４４）。
【０１０２】
変形例の主な効果を説明する。変形例によれば、被監視者Ｏｂに食事として提供される複数の物（主食６３、主菜６４、副菜６５、汁物６６、飲み物６７）の摂取量を重さで得ることができる。従って、複数の物に、汁物６６、飲み物６７が含まれていても、これらの摂取量を測定することができる。
【０１０３】
実施形態および変形例では、管理サーバ装置ＳＶが、摂取量および摂取カロリーを計算していたが、  携帯端末装置ＴＡが摂取量、摂取カロリーを計算してもよい。この場合、携帯端末装置ＴＡが、図２及び図１３に示す位置検出部３３、摂取量測定部３４、カロリー情報記憶部３５およびカロリー算出部３６を備える。
【０１０４】
（実施形態の纏め）
実施形態の一局面に係る監視記録作成支援システムは、カメラ機能を有し、監視者が携行可能な端末装置と、前記端末装置と通信可能なサーバ装置と、を備え、被監視者に食事として提供される複数の物の摂取量について、記録を支援する監視記録作成支援システムであって、複数の前記物がそれぞれ、複数の領域に配置された状態で、前記端末装置によって、食事前に撮影された複数の前記領域の第１画像を基にして、複数の前記領域のそれぞれの位置を検出し、前記端末装置によって、食事後に撮影された複数の前記領域の第２画像を基にして、複数の前記領域のそれぞれの位置を検出する位置検出部と、前記位置検出部によって検出された、食事前の複数の前記領域のそれぞれの位置を基にして、食事前の複数の前記物のそれぞれの量を特定できる第１量データを算出し、前記位置検出部によって検出された、食事後の複数の前記領域のそれぞれの位置を基にして、食事後の複数の前記物のそれぞれの量を特定できる第２量データを算出し、前記第１量データと前記第２量データとを基にして、複数の前記物のそれぞれの摂取量を測定する摂取量測定部と、を備える。
【０１０５】
被監視者に食事として提供される物は、食べ物、飲み物を意味する。複数の物がそれぞれ配置される複数の領域は、複数の食器でもよいし、仕切りを有する皿（例えば、ランチプレート）でもよい。位置検出部および摂取量測定部は、サーバ装置に備えられていてもよいし、端末装置に備えられていてもよい。
【０１０６】
被監視者の食事前に、監視者が端末装置を用いて撮影した複数の領域の第１画像には、食事前の複数の物がそれぞれ写されている。従って、食事前の複数の領域のそれぞれの位置が特定できれば、食事前の複数の物のそれぞれの量を特定することが可能となる。この特定された量が第１量データである。量は、面積でもよいし、重さでもよい。
【０１０７】
被監視者の食事後に、監視者が端末装置を用いて撮影した複数の領域の第２画像には、被監視者が残した物が写されている。従って、食事後の複数の領域のそれぞれの位置が特定できれば、残した物の量を特定することが可能となる。この特定された量が第２量データである。量は、面積でもよいし、重さでもよい。
【０１０８】
第１量データと第２量データとが分かれば、複数の物のそれぞれの摂取量が分かる。摂取量は、割合でもよいし、重さでもよい。
【０１０９】
以上説明したように、実施形態の一局面に係る監視記録作成支援システムによれば、監視者は、携行する端末装置を用いて、被監視者の食事前に、複数の領域の画像（第１画像）を撮影し、被監視者の食事後に、複数の領域の画像（第２画像）を撮影することにより、被監視者に食事として提供された複数の物のそれぞれの摂取量を、自動的に算出することができる。従って、食事の摂取量の記録を支援することができる。
【０１１０】
上記構成において、前記摂取量測定部は、食事前の複数の前記領域のそれぞれの位置を基にして、前記第１画像に写された複数の前記物のそれぞれの面積を、前記第１量データとして算出し、食事後の複数の前記領域のそれぞれの位置を基にして、前記第２画像に写された複数の前記物のそれぞれの面積を、前記第２量データとして算出し、前者の面積と後者の面積とを基にして、複数の前記物のそれぞれの摂取量を算出する。
【０１１１】
この構成は、面積を基にして、複数の物のそれぞれの摂取量を測定する。例えば、第１画像（食事前の画像）に写された主食の面積に対する、第２画像（食事後の画像）に写された主食の面積の割合が主食の摂取量となる。被監視者に提供された複数の物のうち、食べ残されなかった物は、第２画像に写らない。この場合、第２画像において、その物の面積はゼロとなる。
【０１１２】
上記構成において、複数の前記物のそれぞれの重さを測定する複数の重量センサを備えるトレイに、複数の前記物が載せられた状態で、複数の前記物が前記被監視者に提供され、前記摂取量測定部は、複数の前記重量センサのうち、食事前の複数の前記領域のそれぞれの位置にある前記重量センサを用いて、前記第１量データを算出し、複数の前記重量センサのうち、食事後の複数の前記領域のそれぞれの位置にある前記重量センサを用いて、前記第２量データを算出し、前記第１量データが示す重さと前記第２量データが示す重さとを基にして、複数の前記物のそれぞれの摂取量を算出する。
【０１１３】
この構成は、面積でなく、重さを基にして、複数の物のそれぞれの摂取量を測定する。従って、被監視者に食事として提供される複数の物に、汁物（例えば、みそ汁）、飲み物（例えば、お茶）が含まれていても、これらの物の摂取量を測定することができる。
【０１１４】
上記構成において、前記監視記録作成支援システムは、さらに、複数の前記物のそれぞれのカロリーを示すカロリー情報を記憶するカロリー情報記憶部と、前記摂取量測定部によって測定された、複数の前記物のそれぞれの摂取量と、前記カロリー情報とを基にして、複数の前記物のそれぞれについて、摂取したカロリーを算出するカロリー算出部と、を備える。
【０１１５】
この構成によれば、摂取量を基にして、摂取カロリーを算出するので、摂取カロリーの記録を支援することができる。
【０１１６】
上記構成において、前記サーバ装置は、前記位置検出部と前記摂取量測定部とを備える、請求項１〜３のいずれか一項、または、前記サーバ装置は、前記位置検出部と前記摂取量測定部と前記カロリー情報記憶部と前記カロリー算出部とを備える。
【０１１７】
この構成は、サーバ装置が摂取量を測定し、または、サーバ装置が摂取量および摂取カロリーを測定する。
【０１１８】
実施形態の他の局面に係る監視記録作成支援方法は、カメラ機能を有し、監視者が携行可能な端末装置と、前記端末装置と通信可能なサーバ装置と、を用いて、被監視者に食事として提供される複数の物の摂取量について、記録を支援する監視記録作成支援方法であって、複数の前記物がそれぞれ、複数の領域に配置された状態で、前記端末装置によって、食事前に撮影された複数の前記領域の第１画像を基にして、複数の前記領域のそれぞれの位置を検出し、前記端末装置によって、食事後に撮影された複数の前記領域の第２画像を基にして、複数の前記領域のそれぞれの位置を検出する位置検出ステップと、前記位置検出ステップによって検出された、食事前の複数の前記領域のそれぞれの位置を基にして、食事前の複数の前記物のそれぞれの量を特定できる第１量データを算出し、前記位置検出ステップによって検出された、食事後の複数の前記領域のそれぞれの位置を基にして、食事後の複数の前記物のそれぞれの量を特定できる第２量データを算出し、前記第１量データと前記第２量データとを基にして、複数の前記物のそれぞれの摂取量を測定する摂取量測定ステップと、を備える。
【０１１９】
実施形態の他の局面に係る監視記録作成支援方法は、実施形態の一局面に係る監視記録作成支援システムを方法の観点から規定しており、実施形態の一局面に係る監視記録作成支援システムと同様の作用効果を有する。
【０１２０】
本発明の実施形態が詳細に図示され、かつ、説明されたが、それは単なる図例及び実例であって限定ではない。本発明の範囲は、添付されたクレームの文言によって解釈されるべきである。
【０１２１】
２０１８年７月１３日に提出された日本国特許出願特願２０１８−１３３５３６は、その全体の開示が、その全体において参照によりここに組み込まれる。
【産業上の利用可能性】
【０１２２】
本発明によれば、監視記録作成支援システムおよび監視記録作成支援方法を提供することができる。
【図１】
2020012888.tif 000003
【図２】
2020012888.tif 000004
【図３】
2020012888.tif 000005
【図４】
2020012888.tif 000006
【図５】
2020012888.tif 000007
【図６】
2020012888.tif 000008
【図７】
2020012888.tif 000009
【図８】
2020012888.tif 000010
【図９】
2020012888.tif 000011
【図１０】
2020012888.tif 000012
【図１１】
2020012888.tif 000013
【図１２】
2020012888.tif 000014
【図１３】
2020012888.tif 000015
【図１４】
2020012888.tif 000016
【国際調査報告】
2020012888.tif 000017
2020012888.tif 000018
2020012888.tif 000019